(57)【特許請求の範囲】
【請求項１】
キャップの外側面と上面からの押圧によりキャップを容器から脱着させるようにした容器およびキャップの取り付け構造であって、
前記容器は、そのテーパー状の肩部に上方向きに形成されるとともに側面部に係止部を有する首部と、この首部の上方に開口形成した口部とを一体に設け、
前記キャップは、それを前記容器から外す開口操作時に前記肩部に接触させられる外筒と、この外筒の内側に間隙を有して配されると共に前記係止部に嵌着させるための内筒とを一体に設けたものであり、
前記内筒には、前記係止部との嵌着を弾発的にするために、縦方向に複数のスリットを形成したものであり、
前記スリットの少なくとも一つを、内筒の先端部から基部に亘って形成して、内筒を前記係止部に係止したときに該内筒内側の内容物が外側にスリットを経由して押し出される押し出しスリットとし、
前記内筒の基部に至る押し出しスリットの形成により内筒の剛性が低下することを抑制するための補強部を内筒に設け、
前記内筒の外周に間隔を持って位置し、押し出しスリットから排出された内容物を当該内筒との間に収容する収容壁を外筒の内側に設けたことを特徴とする容器およびキャップの取り付け構造。
【請求項２】
前記収容壁の高さは、内筒及び外筒よりも短く延在させたことを特徴とする請求項１に記載の容器およびキャップの取り付け構造。
【請求項３】
キャップの外側面と上面からの押圧によりキャップを容器から脱着させるようにした容器およびキャップの取り付け構造であって、
前記容器は、そのテーパー状の肩部に上方向きに形成されるとともに側面部に係止部を有する首部と、この首部の上方に開口形成した口部とを一体に設け、
前記キャップは、それを前記容器から外す開口操作時に前記肩部に接触させられる外筒と、この外筒の内側に間隙を有して配されると共に前記係止部に嵌着させるための内筒とを一体に設けたものであり、
前記内筒には、前記係止部との嵌着を弾発的にするために、縦方向に複数のスリットを形成したものであり、
前記スリットの少なくとも一つを、内筒の先端部から基部に亘って形成して、内筒を前記係止部に係止したときに該内筒内側の内容物が外側にスリットを経由して押し出される押し出しスリットとし、
前記内筒の基部に至る押し出しスリットの形成により内筒の剛性が低下することを抑制するための補強部を内筒に設け、
前記内筒に設けた補強部は、押し出しスリットから排出された内容物を収容する収容部を形成したものであることを特徴とする容器およびキャップの取り付け構造。
【請求項４】
前記複数のスリットの前記押し出しスリット以外のスリットを、内筒の先端部から途中部まで形成し、内筒が首部の係止部と係合させる弾発力を強化する補強スリットとしたことを特徴とする請求項１から３のうちの１項に記載の容器およびキャップの取り付け構造。
【発明の詳細な説明】
【技術分野】
【０００１】
本発明は、練り歯磨き等の粘性のある流動物を収容する容器（チューブ）の先端開口を開閉するキャップを繰り返し取り付けおよび取り外しするのに内容物が溜まり難い容器とキャップの取り付け構造に関する。
【背景技術】
【０００２】
従来、歯磨きチューブ向けのキャップにおいて、出願人は実開昭５９−１６８５９号公報（特許文献１）において容器口部に係合突起を設け、キャップの内筒にスリット等を設け、容器口部にキャップの外筒を嵌めるようにした取り付け構造を提案している。
【０００３】
また、実開昭５９−８９８４７号公報（特許文献２）においては、容器口部に係合突起を設け、キャップの内筒には対向した位置に基部まで延びたスリットを設け取り付け構造を提案している。
【０００４】
上記の取り付け構造のスリットは、容器口部の係合突起との嵌着のための機能を有する。
【０００５】
この場合、歯磨きチューブ等の練り製品を収容する容器では、練り製品を歯ブラシに付ける際に、上記容器口部からキャップを取り外し、その後、嵌着によってキャップを取り付ける一連の操作を行う。
【０００６】
しかしながら、使用後に容器口部に残った練り歯磨き剤等の粘性のある内容物は、使用回数が増えるとキャップを嵌め付けることによって内筒等キャップ内部に残留してキャップの閉じ操作によって確実に閉嵌合ができない場合があった。
【０００７】
したがって、上記特許文献１〜２の技術に加えてキャップ内部に内容物が残留しにくく、確実な閉嵌合ができる取り付け構造が要請される。
【先行技術文献】
【特許文献】
【０００８】
【特許文献１】実開昭５９−１６８５９号公報
【特許文献２】実開昭５９−８９８４７号公報
【発明の概要】
【発明が解決しようとする課題】
【０００９】
本発明は、斯かる実情に鑑み、容器口元に残った粘性のある内容物が繰り返し使用によってもキャップ内側に堆積することなく、確実な閉嵌合ができる容器およびキャップの取り付け構造を提供するものである。
【課題を解決するための手段】
【００１０】
本発明は、キャップの外側面と上面からの押圧によりキャップを容器から脱着させるようにした容器およびキャップの取り付け構造であって、
前記容器は、そのテーパー状の肩部に上方向きに形成されるとともに側面部に係止部を有する首部と、この首部の上方に開口形成した口部とを一体に設け、
前記キャップは、それを前記容器から外す開口操作時に前記肩部に接触させられる外筒と、この外筒の内側に間隙を有して配されると共に前記係止部に嵌着させるための内筒とを一体に設けたものであり、
前記内筒には、前記係止部との嵌着を弾発的にするために、縦方向に複数のスリットを形成したものであり、
前記スリットの少なくとも一つを、内筒の先端部から基部に亘って形成して、内筒を前記係止部に係止したときに該内筒内側の内容物が外側にスリットを経由して押し出される押し出しスリットとし、
前記内筒の基部に至る押し出しスリットの形成により内筒の剛性が低下することを抑制するための補強部を内筒に設け、
前記内筒の外周に間隔を持って位置し、押し出しスリットから排出された内容物を当該内筒との間に収容する収容壁を外筒の内側に設けたことを特徴とする容器およびキャップの取り付け構造である。
【００１１】
本発明において、前記収容壁の高さは、内筒及び外筒よりも短く延在させたことが好適である。
【００１２】
本発明は、キャップの外側面と上面からの押圧によりキャップを容器から脱着させるようにした容器およびキャップの取り付け構造であって、
前記容器は、そのテーパー状の肩部に上方向きに形成されるとともに側面部に係止部を有する首部と、この首部の上方に開口形成した口部とを一体に設け、
前記キャップは、それを前記容器から外す開口操作時に前記肩部に接触させられる外筒と、この外筒の内側に間隙を有して配されると共に前記係止部に嵌着させるための内筒とを一体に設けたものであり、
前記内筒には、前記係止部との嵌着を弾発的にするために、縦方向に複数のスリットを形成したものであり、
前記スリットの少なくとも一つを、内筒の先端部から基部に亘って形成して、内筒を前記係止部に係止したときに該内筒内側の内容物が外側にスリットを経由して押し出される押し出しスリットとし、
前記内筒の基部に至る押し出しスリットの形成により内筒の剛性が低下することを抑制するための補強部を内筒に設け、
前記内筒に設けた補強部は、押し出しスリットから排出された内容物を収容する収容部を形成したものであることを特徴とする容器およびキャップの取り付け構造である。
【００１３】
本発明において、前記複数のスリットの前記押し出しスリット以外のスリットを、内筒の先端部から途中部まで形成し、内筒が首部の係止部と係合させる弾発力を強化する補強スリットとしたことが好適である。
【発明の効果】
【００１５】
本発明の容器およびキャップの取り付け構造によれば、内筒には、係止部との嵌着を弾発的にするために、縦方向に複数のスリットを形成し、前記スリットの少なくとも一つを、内筒の先端部から基部に亘って形成して、内筒を前記係止部に係止したときに該内筒内側の内容物が外側にスリットを経由して押し出される押し出しスリットとしたので、キャップを脱着する繰り返し使用しても容器口部に堆積した内容物を前記押し出しスリットから押し出し可能としたので、口部に堆積した内容物を当該押し出しスリットから押し出されて排出され繰り返し使用しても内筒を口部に嵌着する際の邪魔にならず、確実な閉嵌合作動を得ることができる。
【００１６】
なお、前記複数のスリットの前記押し出しスリット以外のスリットを、内筒の先端部から途中部まで形成し、内筒が首部の係止部と係合させる弾発力を強化する補強スリットとしたことによって、容器とキャップの嵌着操作と堆積した内容物の押し出しを両立できる。
【００１７】
また、前記内筒に基部に至る押し出しスリットの形成により内筒の剛性が低下することを抑制するための補強部を内筒に設けたことによって、最低限厚の内筒とすることが可能であり、チューブの首部との嵌合性を維持できる。つまり、内筒の厚みは薄いものの方が内容物の排出性が良好となり好ましい。
【００１８】
また、内筒に設けた補強部外周に間隔を持って押し出しスリットから排出された内容物を収容する収容部を設けたことにより、排出された内容物がキャップ底面外周にまで溜まり内容物が水滴と混在することを防止し、不快感を防ぐことができる。
【００１９】
また、内筒に設けた補強部は、押し出しスリットから排出された内容物を収容する収容部を形成したことで、収容部を補強部として利用でき構造のコンパクト化を図り、かつ、排出された内容物がキャップ底面外周まで溜まり、水滴と混在することを防ぎ、不快感を防止できる。
【図面の簡単な説明】
【００２０】
【図１】本発明の第１の実施形態に係る容器およびキャップの取り付け構造の説明図である。
【図２】第１の実施形態に係る取り付け構造のキャップの説明図で、（ａ）が下方からの視図、（ｂ）が（ａ）のＢ−Ｂ線に沿う上下を逆にした状態の縦断面図である。
【図３】第２の実施形態に係る取り付け構造のキャップの説明図で、（ａ）が下方からの視図、（ｂ）が（ａ）のＢ−Ｂ線に沿う上下を逆にした状態の縦断面図である。
【図４】第３の実施形態に係る取り付け構造のキャップの説明図で、（ａ）が下方からの視図、（ｂ）が（ａ）のＢ−Ｂ線に沿う上下を逆にした状態の縦断面図である。
【図５】第４の実施形態に係る取り付け構造のキャップの説明図で、（ａ）が下方からの視図、（ｂ）が上下を逆にした状態の縦断面図である。
【発明を実施するための形態】
【００２１】
以下、本発明の実施の形態を添付図面を参照して説明する。
【００２２】
図１は、本発明の第１の実施形態に係る容器およびキャップの取り付け構造の説明図である。図２はそのキャップの説明図で、（ａ）が下方からの視図、（ｂ）が上下を逆にした状態の縦断面図である
第１の実施形態は、キャップ１０の外側面と上面からの押圧によりキャップ１０を容器１２から脱着させるようにした容器１２およびキャップ１０の取り付け構造である。
【００２３】
前記容器１２は、そのテーパー状の肩部１４に上方向きに形成されるとともに側面部に係止部１６ａを有する首部１６と、この首部１６の上方に開口形成した口部１８とを一体に設けている。
【００２４】
肩部１４は、容器１２の本体の胴部１２ａから上方の首部１６に向けて狭くなる円錐側面形状を呈している。前記首部１６は中空筒状に形成されて、その首部１６の上方向きの開口形成された部分が口部１８である。
【００２５】
前記首部１６の側面部の係止部１６ａは凹凸が環状に連続的、または、非連続的に形成されたものである。また、キャップ１０の内筒２２にはその先端部に内側突出する凸部構造２２ａが形成されており、この凸部構造２２ａが前記係止部１６ａに嵌り込んでキャップ１０が首部１６さらには容器１２から抜けないように嵌着するようにしている。
【００２６】
前記キャップ１０は、それを前記容器１２から外す開口操作時に前記肩部１４に接触させられる外筒２０と、この外筒２０の内側に間隙を有して配されると共に前記係止部１６ａに嵌着させるための凸部構造２２ａの形成された内筒２２とを一体に設けたものである。キャップ１０では、円盤状の上方の略円形の基部１０ａ周囲から下方に向けて外筒２０が、また、その外筒２０の内側に同心状に平行に内筒２２がそれぞれ筒状に形成されている。なお、キャップ１０の基部１０ａの内筒２２の形成箇所の内側に前記口部１８に嵌り込んで塞ぐ嵌着部１０ｂが短く筒状に形成されている。
【００２７】
また、前記内筒２２には、前記係止部１６ａとの嵌着を弾発的にするために、縦方向に複数のスリット２４、２６を形成したものである。
【００２８】
第１の実施形態では、キャップ１０の内筒２２の８つのスリットのうちの４つ（少なくとも一つの例）を、内筒２２の先端部から基部に亘って形成して、内筒２２を前記係止部１６ａに係止したときに該内筒２２内側の内容物が外側にスリットを経由して押し出される押し出しスリット２４としている。内筒２２には、等角度間隔に押し出しスリット２４が複数形成されている。また、補強スリット２６は押し出しスリット２４に挟まれる位置に形成されている。
【００２９】
また、前記複数のスリットの前記押し出しスリット２４以外のスリットを、内筒２２の先端部から途中部まで形成し、内筒２２が首部１６の係止部１６ａと係合させる弾発力を強化する補強スリット２６としたものである。
【００３０】
なお、容器１２は内容物が粘性のある流動体製品が好ましく、キャップ１０の材質は液密性のある樹脂材、例えばポリエチレン樹脂、ポリプロピレン樹脂、ナイロン樹脂、ポリエチレンテレフタレート樹脂等、容器１２の材質は液密性のある金属層、樹脂層、紙層の材質を適宜単相、または多層に積層した構造が好ましい。
【００３１】
上記第１の実施形態に係る容器１２およびキャップ１０の取り付け構造によれば、内筒２２には、前記係止部１６ａとの嵌着を弾発的にするために、縦方向に複数のスリットを形成し、前記スリットの少なくとも一つを、内筒２２の先端部から基部に亘って形成して、内筒２２を前記係止部１６ａに係止したときに該内筒２２内側の内容物が外側にスリットを経由して押し出される押し出しスリット２４としたので、キャップ１０を脱着する繰り返し使用しても容器１２の口部１８に堆積した内容物を前記押し出しスリット２４から押し出し可能としたので、口部１８に堆積した内容物を当該押し出しスリット２４から押し出されて排出され繰り返し使用しても内筒２２を口部１８に嵌着する際の邪魔にならず、確実な閉嵌合作動を得ることができる。
【００３２】
また、前記複数のスリットの前記押し出しスリット２４以外のスリットを、内筒２２の先端部（開口のある端部をいう）から途中部まで形成し、内筒２２が首部１６の係止部１６ａと係合させる弾発力を強化する補強スリット２６としたことによって、容器１２とキャップ１０の嵌着操作と堆積した内容物の押し出しを両立できる。
【００３３】
次に第２の実施形態に係る取り付け構造を説明する。図３はキャップの説明図で、（ａ）が下方からの視図、（ｂ）が上下を逆にした状態の縦断面図である。なお、第１の実施形態と同様部分に同一の符号を付する。
【００３４】
図３に示すように、第２の実施形態に係る取り付け構造のキャップ１０においては、前記内筒２２に基部１０ａに至る押し出しスリット２４の形成により内筒２２の剛性が低下することを抑制するための補強部２８を内筒２２に設けたものである。この補強部２８は、前記押し出しスリット２４の両側に該押し出しスリット２４に沿ってキャップ基部１０ａから内筒２２開口部に上方に延びる梁状に形成されたものである。補強部２８は、側面視で楔形状を呈しているが、種々に形状を形成できる。
また、前記押し出しスリット２４から排出された内容物を収容する収容部として、キャップ１０の基部１０ａに下方に突出させた収容壁（「収容部」に相当）３４を設けている。この収容壁３４は、内筒２２に設けた補強部２８外周に間隔を持ってかつ該内筒２２を同心円状に取り巻くように、前記外筒および内筒２２よりも短く延在させたものである。
【００３５】
第２の実施形態によれば、第１の実施形態の作用効果に加えて、前記内筒２２に基部１０ａに至る押し出しスリット２４の形成により内筒２２の剛性が低下することを抑制するための補強部２８を内筒２２に設けたことによって、最低限厚の内筒２２とすることが可能であり、容器１０の首部１６との嵌合性を維持できる。つまり、内筒２２の厚みは薄いものの方が内容物の排出性が良好となるので好ましい。
また、排出された内容物を収容する収容部（収容壁３４）によってキャップ１０底面外周にまで溜まり内容物が水滴と混在することを防止し、不快感を防ぐことができる。
【００３６】
次に、第３の実施形態に係る取り付け構造を説明する。図４はキャップの説明図で、（ａ）が下方からの視図、（ｂ）が上下を逆にした状態の縦断面図である。なお、第１の実施形態と同様部分に同一の符号を付する。
【００３７】
図４に示すように、第３の実施形態に係る取り付け構造のキャップ１０においては、内筒２２はその外側に第２の補強部３０を設けている。この第２の補強部３０はキャップ１０の基部１０ａから押し出しスリット２４の両側に沿って先方かつ外径方向に展開する補強壁が延接され、その補強壁の径方向先端同士を壁で結んだ、壁で囲まれた空間のある横断面が概略箱状または升状を呈したものである。第２の補強部３０は、その内部空間が前記押し出しスリット２４に連続しており、したがって、第２の補強部３０は、前記押し出しスリット２４から排出された内容物を収容する収容部となっている。
【００３８】
第３の実施形態によれば、内筒２２に設けた第２の補強部３０外周に間隔を持って押し出しスリット２４から排出された内容物を収容する収容部を設けたことにより、排出された内容物がキャップ１０底面外周にまで溜まり内容物が水滴と混在することを防止し、不快感を防ぐことができる。
【００３９】
また、内筒２２に設けた第２の補強部３０は、押し出しスリット２４から排出された内容物を収容する収容部を形成したことで、収容部を補強部として利用でき構造のコンパクト化を図り、かつ、排出された内容物がキャップ１０底面外周まで溜まり、水滴と混在することを防ぎ、不快感を防止できる。
【００４０】
次に、第４の実施形態に係る取り付け構造を説明する。図５はキャップの説明図で、（ａ）が下方からの視図、（ｂ）が上下を逆にした状態の縦断面図である。なお、第４の実施形態と同様部分に同一の符号を付する。
【００４１】
図５に示すように、第４の実施形態に係る取り付け構造のキャップにおいては、等角度間隔に押し出しスリット２４が複数形成されている。補強スリット２６は押し出しスリット２４に挟まれる位置に形成されている。内筒２２に設けた第３の補強部３２は、キャップ１０の基部１０ａから押し出しスリット２４の両側に沿って先方かつ外径方向に弧を描いて取り囲むように壁が延接され、壁で囲まれた空間のある概略管状を呈したものである。第３の補強部３２は、その内部空間が前記押し出しスリット２４に連続しており、したがって、第３の補強部３０は、前記押し出しスリット２４から排出された内容物を収容する収容部となっている。
【００４２】
第４の実施形態によれば、第３の実施形態の作用効果に加えて、第３の補強部３２が断面弧状で変形しにくので内筒２２を支える支持力が大きい。
【００４３】
なお、本発明においては、キャップや容器の構造、特に押し出しスリットの数や構造について前記各部実施形態に限定されず、本発明の範囲内で種々に変形実施できることはもちろんである。
【産業上の利用可能性】
【００４４】
本発明の容器およびキャップの取り付け構造は、練り歯磨き、接着剤等の粘性のある流動部を収容する容器（チューブ）に利用することができる。
【符号の説明】
【００４５】
１０  キャップ
１０ａ  キャップの基部
１０ｂ  キャップの嵌着部
１２  容器
１２ａ  胴部
１４  肩部
１６  首部
１６ａ  係止部
１８  口部
２０  外筒
２２  内筒
２２ａ  凸部構造
２４  押し出しスリット
２６  補強スリット
２８  補強部
３０  第２の補強部
３２  第３の補強部
３４  収容壁
【図１】
0005579015.tif 000002
【図２】
0005579015.tif 000003
【図３】
0005579015.tif 000004
【図４】
0005579015.tif 000005
【図５】
0005579015.tif 000006